(57)【特許請求の範囲】
【請求項１】
画面と、前記画面の表示領域の上に設けられた透明の手書可能領域とを備えて、前記手書可能領域に手書される情報を前記表示領域に表示する手書入力装置であって、
前記手書可能領域に手書される１つ以上のストロークからなるストローク群の情報を入力するとともに、手書される当該ストローク群を前記表示領域に表示する手書入力手段と、
前記手書可能領域に前記ストローク群が手書されて前記表示領域に表示された状態で、前記手書されたストローク群の情報に対する編集を指示するために、前記手書可能領域に手書される情報を入力する編集情報入力手段と、
前記編集情報入力手段による情報入力の際に、手書入力された前記ストローク群が前記手書可能領域に内包されない場合には、当該ストローク群が前記手書可能領域に内包されるように、前記表示領域における前記ストローク群の表示を修正するストローク群修正手段と、
操作指示が与えられたときに前記ストローク群の情報を認識し、認識結果を前記画面に表示する認識出力手段と、をさらに備える、手書入力装置。
【請求項２】
画面と、前記画面の表示領域の上に設けられた透明の手書可能領域とを備えて、前記手書可能領域に手書される情報を前記表示領域に表示する手書入力装置であって、
前記手書可能領域は、内側に設けられた内側手書可能領域と前記内側手書可能領域を内包する外側手書可能領域とを含み、
前記内側手書可能領域に手書される１つ以上のストロークからなるストローク群の情報を入力するとともに、手書される当該ストローク群を前記表示領域に表示する手書入力手段と、
前記内側手書可能領域に前記ストローク群が手書されて前記表示領域に表示された状態で、前記手書されたストローク群の情報に対する編集を指示するために、前記外側手書可能領域に手書される情報を入力する編集情報入力手段と、
操作指示が与えられたときに前記ストローク群の情報を認識し、認識結果を前記画面に表示する認識出力手段と、をさらに備える、手書入力装置。
【請求項３】
画面と、前記画面の表示領域の上に設けられた透明の手書可能領域とを備えて、前記手書可能領域に手書される情報を前記表示領域に表示する手書入力装置であって、
前記手書可能領域に手書される１つ以上のストロークからなるストローク群の情報を入力するとともに、手書される当該ストローク群を前記表示領域に表示する手書入力手段と、
前記手書可能領域に前記ストローク群が手書されて前記表示領域に表示された状態で、前記手書されたストローク群の情報に対する編集を指示するために、前記手書可能領域に手書される情報を入力する編集情報入力手段と、
前記編集情報入力手段による手書入力の際に、前記手書可能領域の大きさを前記ストロークが手書入力される前記手書可能領域の大きさよりも大きくする領域拡大手段と、
操作指示が与えられたときに前記ストローク群の情報を認識し、認識結果を前記画面に表示する認識出力手段と、をさらに備える、手書入力装置。
【請求項４】
前記認識出力手段は、前記ストローク群を複数単位に切出して、切出し単位ごとに認識する認識手段を含み、
前記編集情報入力手段は、
前記編集として、前記切出し単位を修正するために前記手書可能領域に手書される切出し情報を入力する切出し情報入力手段を含み、
前記認識手段は、前記切出し情報入力手段により入力された前記切出し情報に基づいて修正された前記切出し単位ごとに認識する再認識手段を有する、請求項１ないし３のいずれかに記載の手書入力装置。
【請求項５】
画面と、前記画面の表示領域の上に設けられた透明の手書可能領域とを備えて、前記手書可能領域に手書される情報は前記表示領域に表示される手書入力装置における手書入力方法であって、
前記手書可能領域に手書される１つ以上のストロークからなるストローク群の情報を入力するとともに、手書される当該ストローク群を前記表示領域に表示する手書入力ステップと、
前記手書可能領域に前記ストローク群が手書されて前記表示領域に表示された状態で、前記手書されたストローク群の情報に対する編集を指示するために、前記手書可能領域に手書される情報を入力する編集情報入力ステップと、
操作指示が与えられたときに前記ストローク群の情報を認識し、認識結果を前記画面に表示する認識出力ステップと、を備えて、
前記編集情報入力ステップは、
前記手書可能領域に手書入力される前記ストローク群は前記手書可能領域内の所定領域に内包されるか否かを判定する内包判定ステップと、
前記内包判定ステップにより内包されないと判定されたことに応じて、当該ストローク群が前記所定領域に内包されるように、前記表示領域における前記ストローク群の表示を修正する内包修正ステップと、を含み、
前記所定領域は、前記編集情報入力ステップによる情報入力の際に、前記手書可能領域内で該情報の手書入力が可能となるような位置およびサイズを有することを特徴とする、手書入力方法。
【請求項６】
画面と、前記画面の表示領域の上に設けられた透明の手書可能領域とを備えて、前記手書可能領域に手書される情報は前記表示領域に表示される手書入力装置における手書入力方法であって、
手書入力モードおよび編集情報入力モードのいずれかを設定するモード設定ステップと、
前記モード設定ステップにより前記手書入力モードが設定された場合に内側手書可能領域を設定し、前記編集情報入力モードが設定された場合に外側手書可能領域を設定する領域設定ステップと、
前記モード設定ステップにより前記手書入力モードが設定された場合に、前記内側手書可能領域に手書される１つ以上のストロークからなるストローク群の情報を入力するとともに、手書される当該ストローク群を前記表示領域に表示する手書入力ステップと、
前記モード設定ステップにより前記編集情報入力モードが設定された場合に、前記手書入力ステップにより前記内側手書可能領域に前記ストローク群が手書されて前記表示領域に表示された状態で、前記手書されたストローク群の情報に対する編集を指示するために、前記外側手書可能領域に手書される情報を入力する編集情報入力ステップと、
操作指示が与えられたときに前記ストローク群の情報を認識し、認識結果を前記画面に表示する認識出力ステップと、を備えて、
前記手書可能領域は、内側に設けられた前記内側手書可能領域と、前記内側手書可能領域を内包する前記外側手書可能領域とを含むことを特徴とする、手書入力方法。
【請求項７】
画面と、前記画面の表示領域の上に設けられた透明の手書可能領域とを備えて、前記手書可能領域に手書される情報は前記表示領域に表示される手書入力装置における手書入力方法であって、
手書入力モードおよび編集情報入力モードのいずれかを設定するモード設定ステップと、
前記モード設定ステップにより前記手書入力モードが設定された場合に所定サイズの前記手書可能領域を設定し、前記編集情報入力モードが設定された場合に前記所定サイズよりも大きいサイズの前記手書可能領域を設定する領域設定ステップと、
前記モード設定ステップにより前記手書入力モードが設定された場合に、前記領域設定ステップにより設定された前記手書可能領域に手書される１つ以上のストロークからなるストローク群の情報を入力するとともに、手書される当該ストローク群を前記表示領域に表示する手書入力ステップと、
前記モード設定ステップにより前記編集情報入力モードが設定された場合に、前記手書入力ステップにより前記手書可能領域に前記ストローク群が手書されて前記表示領域に表示された状態で、前記領域設定ステップにより設定された前記手書可能領域に、前記手書入力ステップにより入力された前記ストローク群に対する編集を指示するために手書される情報を入力する編集情報入力ステップと、
操作指示が与えられたときに前記ストローク群の情報を認識し、認識結果を前記画面に表示する認識出力ステップと、を備える、手書入力方法。
【請求項８】
前記認識出力ステップは、前記ストローク群を複数単位に切出して、切出し単位ごとに認識する認識ステップを含み、
前記編集情報入力ステップは、
前記編集として、前記切出し単位を修正するために前記手書可能領域に手書される切出し情報を入力する切出し情報入力ステップを含み、
前記認識ステップは、前記切出し情報入力ステップにより入力された前記切出し情報に基づいて修正された前記切出し単位ごとに認識する再認識ステップを有する、請求項５ないし７のいずれかに記載の手書入力方法。
【請求項９】
画面と、前記画面の表示領域の上に設けられた透明の手書可能領域とを備えて、前記手書可能領域に手書される情報は前記表示領域に表示される手書入力装置に適用される手書入力方法をコンピュータに実行させるための手書入力プログラムが記録された記録媒体であって、
前記手書入力方法は、
前記手書可能領域に手書される１つ以上のストロークからなるストローク群の情報を入力するとともに、手書される当該ストローク群を前記表示領域に表示する手書入力ステップと、
前記手書可能領域に前記ストローク群が手書されて前記表示領域に表示された状態で、前記手書されたストローク群の情報に対する編集を指示するために、前記手書可能領域に手書される情報を入力する編集情報入力ステップと、
操作指示が与えられたときに前記ストローク群の情報を認識し、認識結果を前記画面に表示する認識出力ステップと、を備えて、
前記編集情報入力ステップは、
前記手書入力ステップにより前記手書可能領域に手書入力された前記ストローク群は前記手書可能領域内の所定領域に内包されるか否かを判定する内包判定ステップと、
前記内包判定ステップにより内包されないと判定されたことに応じて、前記表示領域における前記ストローク群の表示を、当該ストローク群が手書入力された前記ストローク群を前記所定領域に内包されるように修正する内包修正ステップと、を含み、
前記所定領域は、前記編集情報入力ステップによる情報入力の際に、前記手書可能領域内で該情報の手書入力が可能となるような位置およびサイズを有することを特徴とする、手書入力プログラムが記録されたコンピュータで読取可能な記録媒体。
【発明の詳細な説明】
【０００１】
【発明の属する技術分野】
この発明は図形または文字列を手書入力するための手書入力装置および方法ならびに手書入力プログラムが記録されたコンピュータで読取可能な記録媒体に関し、特に、タブレットなどの座標入力部から入力された手書文字列や図形を画面上に表示するとともに、座標入力部から入力されたジェスチャにより手書文字列や図形の選択および修正が行なえ、また入力された手書文字列や図形の認識も可能とする手書入力装置および方法、ならびに手書入力プログラムが記録されたコンピュータで読取可能な記録媒体に関する。
【０００２】
【従来の技術】
手書で文字や図形のストロークを筆記入力する手書入力装置に関し、以下のような従来例がある。
【０００３】
特許公報第２９８４１７０号によれば筆記入力された手書文字列を文字単位に切出して文字認識を行ない切出しが誤っていた場合にはジェスチャ入力によって切出しの修正を行なう技術が記載される。
【０００４】
特開平７−２９５７３３号公報によれば、筆記入力されたストローク群の選択および編集をジェスチャによって行なう技術が記載される。
【０００５】
【発明が解決しようとする課題】
図１５（Ａ）〜（Ｃ）は、従来技術を説明するための図であり、四角形の枠内はストローク群を手書入力可能な領域であり、枠外は入力不可能な領域である。従来技術においては、図１５（Ａ）は選択もしくは修正の対象であるストローク群が入力可能領域内に位置しているのでジェスチャ入力を正しく行なえるが、図１５（Ｂ）または（Ｃ）では選択もしくは修正の対象であるストローク群が入力可能領域と不可能領域の境界付近にあるので、ジェスチャの入力が困難であり、最悪の場合ジェスチャ入力ができないという問題があった。
【０００６】
それゆえにこの発明の目的は、手書入力されたストローク群が手書入力可能領域境界付近にあった場合にも、ストローク群を編集するための編集情報の手書入力が容易にできる手書入力装置および方法、ならびに手書入力プログラムが記録されたコンピュータで読取可能な記録媒体を提供することである。
【０００７】
【課題を解決するための手段】
この発明のある局面に係る手書入力装置は、画面と、画面の表示領域に対応して設けられた手書可能領域と、手書入力手段と、編集情報入力手段とストローク群修正手段を備えて、手書可能領域に手書される情報を表示領域に表示する。
【０００８】
手書入力手段は、手書可能領域に手書される１つ以上のストロークからなるストローク群の情報を入力する。編集情報入力手段は、手書入力手段により入力されたストローク群情報に対して所望内容に従う編集を指示するために、手書可能領域に手書される情報を入力する。ストローク群修正手段は、編集情報入力手段による情報入力の際に、手書可能領域内で該情報の手書入力が不可能な場合には可能となるように、手書可能領域において手書されたストローク群を修正する。
【０００９】
ストローク群修正手段は、手書可能領域内で編集情報の手書入力が可能なように手書されたストローク群を平行移動または縮小するようにしてもよい。
【００１０】
したがって、手書入力手段により手書可能領域にストローク群が手書されて表示され、続いて編集情報入力手段により編集情報が手書きされる際に、該手書可能領域において手書入力可能な余裕が残されてなく手書入力不可能な場合には、可能となるように手書可能領域において手書されたストローク群はストローク群修正手段により修正される。
【００１１】
それゆえに、手書入力可能な領域の境界近くまでストローク群が手書入力された場合でも、編集情報の手書入力時には境界から離れた位置に表示されるので、編集情報入力のための手書入力が容易となる。
【００１２】
この発明の他の局面に係る手書入力装置は画面と、画面の表示領域に対応して設けられた手書可能領域と、手書入力手段と、編集情報入力手段とを備えて、手書可能領域に手書される情報を表示領域に表示する。
【００１３】
手書可能領域は、内側に設けられた内側手書可能領域と内側手書可能領域を内包する外側手書可能領域とを含む。
【００１４】
手書入力手段は内側手書可能領域に手書される１つ以上のストロークからなるストローク群の情報を入力する。編集情報入力手段は、手書入力手段により内側手書可能領域に入力されたストローク群情報に対して所望内容に従う編集を指示するために、外側手書可能領域に手書される情報を入力する。
【００１５】
したがって、内側手書可能領域にストローク群の情報が手書されると、入力されたストローク群情報に対して所望内容に従う編集を指示するための情報が内側手書可能領域を内包する外側手書可能領域において手書される。
【００１６】
それゆえに、手書入力可能領域は内側と外側の二重とされて、ストローク群手書入力時には内側の領域が編集情報の手書入力時には外側の領域が使用されるので、ストローク群手書入力時に入力可能領域境界付近まで入力しても、編集情報の手書入力が容易になる。
【００１７】
この発明のさらなる他の局面に従う手書入力装置は画面と、画面の表示領域に対応して設けられた手書可能領域と、手書入力手段と、編集情報入力手段と領域拡大手段とを備えて、手書可能領域に手書される情報を表示領域に表示する。
【００１８】
手書入力手段は手書可能領域に手書される１つ以上のストロークからなるストローク群の情報を入力する。編集情報入力手段は手書入力手段により入力された前記ストローク群情報に対して所望内容に従う編集を指示するために、手書可能領域に手書される情報を入力する。領域拡大手段は編集情報入力手段による手書入力の際に、手書可能領域の大きさをストロークが手書入力される手書可能領域の大きさよりも大きくする。
【００１９】
したがって、領域拡大手段により、編集情報の手書入力時には対応の手書可能領域はストローク群の手書入力時の手書可能領域に比較して拡大される。
【００２０】
それゆえに、ストローク群が手書入力可能領域境界付近まで手書入力されていても、編集情報の手書入力が容易となる。
【００２１】
上述の手書入力装置は、手書入力手段により入力されたストローク群を複数単位に切出して、切出し単位ごとに認識する認識手段をさらに備えて、編集情報入力手段は切出し情報入力手段を有して、認識手段は再認識手段を有する。
【００２２】
切出し情報入力手段は所望内容に従う編集として、切出し単位を修正するために手書可能領域に手書される切出し情報を入力する。再認識手段は、切出し情報入力手段により入力された切出し情報に基づいて修正された切出し単位ごとに認識する。
【００２３】
したがって、手書入力されたストローク群について認識手段による切出しが誤ってなされて認識された場合には、切出し情報入力手段により切出しを修正して、修正された切出しに従い再認識が行なわれる。
【００２４】
それゆえに、手書入力されたストローク群について認識手段による誤った切出しを、正しい認識結果を得るための正しい切出しとなるように、切出し情報入力手段の手書入力により修正できる。
【００２５】
この発明のさらなる他の局面に係る手書入力方法は、画面と画面の表示領域に対応して設けられた手書可能領域とを備えて、手書可能領域に手書される情報は表示領域に表示される手書入力装置に適用される。
【００２６】
手書入力方法は手書可能領域に手書される１つ以上のストロークからなるストローク群の情報を入力する手書入力ステップと、手書入力ステップにより手書可能領域に手書入力されたストローク群は所定領域に内包されるか否かを判定する内包判定ステップと、内包判定ステップにより内包されないと判定されたことに応じて、手書入力されたストローク群を所定領域に内包されるように修正する内包修正ステップと、手書されたストローク群情報に対して所望内容に従う編集を指示するために、手書可能領域に手書される情報を入力する編集情報入力ステップとを備える。そして、所定領域は、編集情報入力ステップによる情報入力の際に、手書可能領域内で該情報の手書入力が可能となるような位置およびサイズを有することを特徴とする。
【００２７】
内包修正ステップは、手書可能領域内で編集情報の手書入力が可能なように手書されたストローク群を平行移動または縮小するようにしてもよい。
【００２８】
したがって、手書入力ステップにより手書可能領域にストローク群が手書されて表示され、続いて編集情報入力ステップにより編集情報が手書きされる際に、該手書可能領域において手書入力可能な余裕が残されてなく手書入力不可能であることが内包判定ステップにより判定された場合には、可能となるように手書可能領域において手書されたストローク群は内包修正ステップにより修正される。
【００２９】
それゆえに、手書入力可能な領域の境界近くまでストローク群が手書入力された場合でも、編集情報の手書入力時には境界から離れた位置に表示されるので、編集情報入力のための手書入力が容易となる。
【００３０】
この発明のさらなる他の局面に係る手書入力方法は、画面と画面の表示領域に対応して設けられた手書可能領域とを備えて、手書可能領域に手書される情報は表示領域に表示される手書入力装置に適用されて、手書入力モードおよび編集情報入力モードのいずれかを設定するモード設定ステップと領域設定ステップと手書入力ステップと編集情報入力ステップとを備える。
【００３１】
モード設定ステップにより手書入力モードが設定された場合に領域設定ステップにより内側手書可能領域が設定されて、編集情報入力モードが設定された場合に外側手書可能領域が設定される。モード設定ステップにより手書入力モードが設定された場合に、手書入力ステップにより内側手書可能領域に手書される１つ以上のストロークからなるストローク群の情報が入力される。モード設定ステップにより編集情報入力モードが設定された場合に、編集情報入力ステップでは手書入力ステップにより内側手書可能領域に入力されたストローク群情報に対して所望内容に従う編集を指示するために、外側手書可能領域に手書される情報が入力される。ここで手書可能領域は、内側に設けられた内側手書可能領域と、内側手書可能領域を内包する外側手書可能領域とを含む。
【００３２】
したがって、内側手書可能領域にストローク群の情報が手書されると、入力されたストローク群情報に対して所望内容に従う編集を指示するための情報が内側手書可能領域を内包する外側手書可能領域において手書される。
【００３３】
それゆえに、手書入力可能領域は内側と外側の二重とされて、ストローク群手書入力時には内側の領域が編集情報の手書入力時には外側の領域が使用されるので、ストローク群手書入力時に入力可能領域境界付近まで入力しても、編集情報の手書入力が容易になる。
【００３４】
この発明のさらなる他の局面に係る手書入力方法は、画面と画面の表示領域に対応して設けられた手書可能領域とを備えて、手書可能領域に手書される情報は表示領域に表示される手書入力装置に適用されて、手書入力モードおよび編集情報入力モードのいずれかを設定するモード設定ステップと、領域設定ステップと、手書入力ステップと、編集情報入力ステップとを備える。
【００３５】
領域設定ステップでは、モード設定ステップにより手書入力モードが設定された場合に所定サイズの手書可能領域が設定されて、編集情報入力モードが設定された場合には所定サイズよりも大きいサイズの手書可能領域が設定される。手書入力ステップでは、モード設定ステップにより手書入力モードが設定された場合には、領域設定ステップにより設定された手書可能領域に手書される１つ以上のストロークからなるストローク群の情報が入力される。編集情報入力ステップでは、モード設定ステップにより編集情報入力モードが設定された場合に、領域設定ステップにより設定された手書可能領域に、手書入力ステップにより入力されたストローク群情報に対して所望内容に従う編集を指示するために、手書される情報が入力される。
【００３６】
したがって、領域設定ステップにより、編集情報の手書入力時には対応の手書可能領域はストローク群の手書入力時の手書可能領域に比較して拡大された領域として設定される。
【００３７】
それゆえに、ストローク群が手書入力可能領域境界付近まで手書入力されていても、編集情報の手書入力が容易となる。
【００３８】
上述の手書入力方法は手書入力ステップにより入力されたストローク群を複数単位に切出して、切出し単位ごとに認識する認識ステップをさらに備える。そして、編集情報入力ステップは、所望内容に従う編集として、切出し単位を修正するために手書可能領域に手書される切出し情報を入力する切出し情報入力ステップを有し、認識ステップは、切出し情報入力ステップにより入力された切出し情報に基づいて修正された切出し単位ごとに認識する再認識ステップを有する。
【００３９】
したがって、手書入力されたストローク群について認識ステップによる切出しが誤ってなされて認識された場合には、切出し情報入力ステップにより切出しを修正して、修正された切出しに従い再認識が行なわれる。
【００４０】
それゆえに、手書入力されたストローク群について認識ステップによる誤った切出しを、正しい認識結果を得るための正しい切出しとなるように切出し情報入力手段の手書入力により修正できる。
【００４１】
この発明のさらなる他の局面に係る記録媒体には、画面と画面の表示領域に対応して設けられた手書可能領域とを備えて、手書可能領域に手書される情報は表示領域に表示される手書入力装置に適用される手書入力方法をコンピュータに実行させるための手書入力プログラムが記録される。
【００４２】
この手書入力プログラムにより実行される手書入力方法は、手書可能領域に手書される１つ以上のストロークからなるストローク群の情報を入力する手書入力ステップと、手書入力ステップにより手書可能領域に手書入力されたストローク群は所定領域に内包されるか否かを判定する内包判定ステップと、内包判定ステップにより内包されないと判定されたことに応じて、手書入力されたストローク群を所定領域に内包されるように修正する内包修正ステップと、手書されたストローク群情報に対して所望内容に従う編集を指示するために、手書可能領域に手書される情報を入力する編集情報入力ステップとを備えて、所定領域は、編集情報入力ステップによる情報入力の際に、手書可能領域内で該情報の手書入力が可能となるような位置およびサイズを有する。
【００４３】
したがって記録媒体に記録された手書入力プログラムが実行された場合には、手書入力ステップにより手書可能領域にストローク群が手書されて表示され、続いて編集情報入力ステップにより編集情報が手書きされる際に、該手書可能領域において手書入力可能な余裕が残されてなく手書入力不可能であることが内包判定ステップにより判定された場合には、可能となるように手書可能領域において手書されたストローク群は内包修正ステップにより修正される。
【００４４】
それゆえに、手書入力可能な領域の境界近くまでストローク群が手書入力された場合でも、編集情報の手書入力時には境界から離れた位置に表示されるので、編集情報入力のための手書入力が容易となる。
【００４５】
この発明のさらなる他の局面に係る記録媒体には、画面と画面の表示領域に対応して設けられた手書可能領域とを備えて、手書可能領域に手書される情報は表示領域に表示される手書入力装置に適用される手書入力方法を実行するための手書入力プログラムが記録される。この手書入力プログラムにより実行される手書入力方法は、手書入力モードおよび編集情報入力モードのいずれかを設定するモード設定ステップと、モード設定ステップにより手書入力モードが設定された場合に内側手書可能領域を設定し、編集情報入力モードが設定された場合に外側手書可能領域を設定する領域設定ステップと、モード設定ステップにより手書入力モードが設定された場合に、内側手書可能領域に手書される１つ以上のストロークからなるストローク群の情報を入力する手書入力ステップと、モード設定ステップにより編集情報入力モードが設定された場合に、手書入力ステップにより内側手書可能領域に入力されたストローク群情報に対して所望内容に従う編集を指示するために、外側手書可能領域に手書される情報を入力する編集情報入力ステップとを備えて、手書可能領域は、内側に設けられた内側手書可能領域と、内側手書可能領域を内包する前記外側手書可能領域とを含む。
【００４６】
したがって記録媒体に記録された手書入力プログラムが実行された場合には、内側手書可能領域にストローク群の情報が手書されると、入力されたストローク群情報に対して所望内容に従う編集を指示するための情報が内側手書可能領域を内包する外側手書可能領域において手書入力される。
【００４７】
それゆえに、手書入力可能領域は内側と外側の二重とされて、ストローク群手書入力時には内側の領域が編集情報の手書入力時には外側の領域が使用されるので、ストローク群手書入力時に入力可能領域境界付近まで入力しても、編集情報の手書入力が容易になる。
【００４８】
この発明のさらなる他の局面に係る記録媒体には、画面と画面の表示領域に対応して設けられた手書可能領域とを備えて、手書可能領域に手書される情報は表示領域に表示される手書入力装置に適用される手書入力方法を実行するための手書入力プログラムが記録される。
【００４９】
手書入力プログラムにより実行される手書入力方法は、手書入力モードおよび編集情報入力モードのいずれかを設定するモード設定ステップと、モード設定ステップにより手書入力モードが設定された場合に所定サイズの手書可能領域を設定し、編集情報入力モードが設定された場合に所定サイズよりも大きいサイズの手書可能領域を設定する領域設定ステップと、モード設定ステップにより手書入力モードが設定された場合に、領域設定ステップにより設定された手書可能領域に手書される１つ以上のストロークからなるストローク群の情報を入力する手書入力ステップと、モード設定ステップにより編集情報入力モードが設定された場合に、領域設定ステップにより設定された手書可能領域に、手書入力ステップにより入力されたストローク群情報に対して所望内容に従う編集を指示するために、手書される情報を入力する編集情報入力ステップとを備える。
【００５０】
したがって記録媒体に記録された手書入力プログラムが実行されると、領域設定ステップにより、編集情報の手書入力時には対応の手書可能領域はストローク群の手書入力時の手書可能領域に比較して拡大された領域として設定される。
【００５１】
それゆえに、ストローク群が手書入力可能領域境界付近まで手書入力されていても、編集情報の手書入力が容易となる。
【００５２】
上述の記録媒体に記録された手書入力プログラムにより実行される手書入力方法は、手書入力ステップにより入力されたストローク群を複数単位に切出して、切出し単位ごとに認識する認識ステップをさらに備えて、編集情報入力ステップは、所望内容に従う編集として、切出し単位を修正するために手書可能領域に手書される切出し情報を入力する切出し情報入力ステップを有して、認識ステップは、切出し情報入力ステップにより入力された切出し情報に基づいて修正された切出し単位ごとに認識する再認識ステップを有するように構成されてもよい。
【００５３】
したがって記録媒体に記録された手書入力プログラムが実行されて、手書入力されたストローク群について認識ステップによる切出しが誤ってなされて認識された場合には、切出し情報入力ステップにより切出しを修正して、修正された切出しに従い再認識が行なわれる。
【００５４】
それゆえに、手書入力されたストローク群について認識ステップによる誤った切出しを、正しい認識結果を得るための正しい切出しとなるように切出し情報入力手段の手書入力により修正できる。
【００５５】
【発明の実施の形態】
以下、この発明の各実施の形態について図面を参照しながら説明する。
【００５６】
（実施の形態１）
図１は、本発明の実施の形態１に適用される手書入力装置の機能構成を示す図である。図において手書入力装置は簡単なコンピュータ上に構成されて、タブレットなどの入力部１０１、文字／図形入力モードか、選択／修正モードかを指定するためのモード指定部１０２、現在のモードを管理するモード管理部１０３、文字／図形入力モード時に手書入力される文字もしくは図形の１つ以上のストロークからなるストローク群情報を記憶するための記憶部１０４、選択／修正モード時に手書入力されるジェスチャを認識し、文字／図形ストローク群に対する選択や修正を行なうための選択／修正部１０５および表示部１０６を含む。ここでジェスチャとは入力部１０１を操作して入力された座標情報または点列データを指す。
【００５７】
入力部１０１および表示部１０６は、表示装置上に透明のタブレットが積層配置された表示一体型タブレットとして提供されてもよい。
【００５８】
また、入力部１０１上の入力可能領域は表示部１０６上の一部もしくは全域に相当している。
【００５９】
図２には、この発明の実施の形態１に適用される手書入力装置のブロック構成が示される。手書入力装置は図示されるように、該装置自体を集中的に制御および管理するためのＣＰＵ（中央処理装置）２０１、後述する各種処理を実行するプログラムを含む各種プログラムを記憶するためのプログラムメモリ２０２、記憶部１０４において各種情報を記憶しておくためのデータメモリ２０３、入力部１０１およびモード指定部１０２に相当する入力装置２０４、表示部１０６に相当する表示装置２０５、外部のインターネットなどの通信ネットワーク２０７と該装置とを接続するための通信Ｉ／Ｆ（インターフェイス）２０６とＦＤ（フレキシブルディスク）およびＣＤ−ＲＯＭ（compact disc read only memory）などの外部記憶媒体２０９がセットされてＣＰＵ２０１により外部記憶媒体２０９をアクセス可能とするために設けられる外部記憶媒体ドライバ２０８を含む。
【００６０】
図３は、本実施の形態１に係る手書入力装置の処理フローチャートである。上述のように構成された手書入力装置の動作について、図３のフローに従い以下に説明する。
【００６１】
操作者はモード指定部１０２により、文字／図形入力モードもしくは選択／修正モードのいずれかを指定できる（ステップＳ（以下、単にＳと略す）１）。
【００６２】
まず、文字／図形入力モードが指定された場合の動作を説明する。
操作者が入力部１０１に手書文字もしくは図形を筆記入力すると（Ｓ２）、入力された手書文字もしくは図形のストローク群情報は表示部１０６に送られて、リアルタイムに表示されるとともに、記憶部１０４に送られて記憶される（Ｓ３）。その後、手書入力の終了を指示する所定操作が行なわれれば一連の処理は終了するが、行なわれなければＳ１に戻る（Ｓ１０）。
【００６３】
次に、操作者がモード指定部１０２により選択／修正モードに切換え指定した場合の動作について説明する。
【００６４】
選択／修正モードに切換え指定された場合（Ｓ１）、表示部１０６には文字／図形入力モードにおいて入力された文字／図形ストローク群情報が記憶部１０４から読出されて表示される（Ｓ５）。このときの表示方法については後述する。
【００６５】
次に操作者は表示内容を見て入力部１０１を介してジェスチャを筆記入力する（Ｓ６）。入力されたジェスチャの情報は表示部１０６に送られて、表示されている文字／図形ストローク群の上にリアルタイムに重ねて表示されるとともに、選択／修正部１０５に送られて認識される（Ｓ７）。
【００６６】
選択／修正部１０５は認識したジェスチャに応じて、表示されている文字／図形ストローク群の選択もしくは修正を行なう（Ｓ８）。その後、Ｓ１０の処理に移行する。
【００６７】
選択／修正部１０５は入力されたジェスチャの点列データなどを予め登録しておいた点列データとパターンマッチングすることによりどのような編集操作を指示したかを示すコマンドデータを認識する。ここでは編集操作としてはストローク群または１ストロークの選択、修正、削除を挙げるがこれに限定されない。他には、ストロークの移動、拡大、縮小およびコピーなどが含まれてもよい。
【００６８】
本実施例ではストローク群またはストロークの選択のためのジェスチャとしては、ストローク群を囲む、ストロークと交差させる、ストローク上で所定時間静止などが想定される。また、修正（削除）のためのジェスチャとしては、対象ストローク群上に×印を筆記、対象ストローク群上でジグザグに往復する線を筆記、対象ストローク群を塗りつぶすなどが想定される。
【００６９】
次に、モード指定部１０２により選択／修正モードに切換えた場合の記憶部１０４に記憶される文字／図形ストローク群情報の図３のＳ５における表示方法について説明する。図４は、本実施の形態１に係る入力可能領域を説明する図である。
【００７０】
まず、図４に示されるように、入力部１０１によって入力可能な領域に相当する表示部１０６上での領域Ｒ０より所定距離Ｔだけ内側の領域Ｒ１を設ける。また領域Ｒ０は幅ＷR0および高さＨR0を有し領域Ｒ１は幅ＷR1および高さＨR1を有する。
【００７１】
図５は、本実施の形態１と２に係る表示処理のフローチャートである。図５に示すフローチャートを用いて動作を説明する。記憶部１０４に記憶される文字／図形ストローク群情報を受理して処理が開始される。まず対象となるすべてのストロークを包含する外接矩形Ｒ２が算出されて外接矩形Ｒ２の幅ＷR2および高さＨR2が取得される（Ｓ４０１）。以降の説明のため外接矩形Ｒ２の左上点を（ＸLR2，ＹTR2）、右下点（ＸRR2，ＹBR2）とする。Ｓ４０１にて算出されたストローク外接矩形Ｒ２が領域Ｒ１に内包されるか否かがチェックされる（ステップＳ４０２）。
【００７２】
外接矩形Ｒ２が領域Ｒ１に内包される場合、すなわち［ＸLR1＜ＸLR2＜ＸRR1かつＸLR1＜ＸRR2＜ＸRR1かつＹTR1＜ＹTR2＜ＹBR1かつＹTR1＜ＹBR2＜ＹBR1］となる場合は、Ｓ４０９に移行し、ストローク群が表示されて処理が終了する。
【００７３】
一方、ストローク外接矩形Ｒ２が領域Ｒ１に内包されない場合は以下の処理が行われる。まず［ＷR2≦ＷR1かつＨR2≦ＨR1］であるか否かがチェックされる（Ｓ４０３）。［ＷR2≦ＷR1かつＨR2≦ＨR1］である場合はＳ４０７に移行する。
【００７４】
［ＷR2≦ＷR1かつＨR2≦ＨR1］でない場合は、まず、ｒｗ＝ＷR2／ＷR1，ｒｈ＝ＨR2／ＨR1が算出されてｒｗおよびｒｈの値の小さい方がｒｒとされる（Ｓ４０４）。次に、Ｓ４０４で算出されたｒｒを縮小率として縦横のアスペクト比は保たれたまま、縮小率ｒｒに基づきストローク群が縮小される（Ｓ４０５）。そして、ストローク群の外接矩形Ｒ２を算出し直す（Ｓ４０６）。Ｓ４０４〜Ｓ４０６の処理によりＷR2≦ＷR1かつＨR2≦ＨR1となる。
【００７５】
Ｓ４０７では、Ｘｍ＝ＸLR2−ＸLR1、Ｙｍ＝ＹTR2−ＹTR1が算出される。次に、ストローク群は（Ｘｍ，Ｙｍ）分だけ平行移動される（Ｓ４０８）。Ｓ４０７およびＳ４０８により、ストローク群の外接矩形Ｒ２が領域Ｒ１に内包されるようになる。
【００７６】
最後に、Ｓ４０９においてストローク群が表示されて処理は終了する。
図６（Ａ）と（Ｂ）には、本実施の形態１の各モードにおける表示装置１０６の表示例が示される。図６（Ａ）には文字／図形入力モード時の入力可能領域内に入力された手書文字列（’手書き’）の表示例が示されて、図６（Ｂ）には図６（Ａ）で入力された文字列の選択／修正モード時の表示例が示される。図６（Ｂ）では、入力された手書文字列（’手書き’）が図５のフローチャートに従い縮小率ｒｒに従い縮小される、または平行移動されて、文字（‘手’）がジェスチャにより囲まれた状態が示される。
【００７７】
本実施の形態によれば、入力可能な領域の境界近くまで手書文字が入力された場合でも、選択／修正モード時には該手書入力文字は縮小および移動させられて境界から離れた位置に表示されるので、図６（Ｂ）に示されるように選択／修正時のジェスチャの入力が容易となる。
【００７８】
（実施の形態２）
次に、この発明の実施の形態２について説明する。
【００７９】
本実施の形態２における手書入力装置の機能構成が図７に示される。図８は、本実施の形態２に係る手書入力装置の処理フローチャートである。図７においては実施の形態１と同様の部分には同一の符号が使用される。本実施の形態２では、実施の形態１の機能に追加して認識部７０１が設けられる。認識部７０１は記憶部１０４に記憶される文字や図形のストローク群の情報を文字や図形単位に切出して認識を行なう。認識結果は記憶部１０４に記憶され、表示部１０６により表示可能とされる。また選択／修正部１０５は、認識部７０１における文字／図形の切出しが誤っていた場合にジェスチャ入力による切出し修正を可能とする。図７に対応のブロック構成は図２に示された実施の形態１と同様である。
【００８０】
次に本実施の形態における手書入力装置の動作について図８のフローに従い説明する。
【００８１】
操作者は、モード指定部１０２により文字／図形入力モードおよび選択／修正モードのいずれかを指定する（Ｓ１）。
【００８２】
まず、文字／図形入力モードが指定された場合の動作を説明する。
操作者が入力部１０１に手書文字もしくは図形を筆記入力すると（Ｓ２）、入力された手書文字もしくは図形のストローク群情報は表示部１０６に送られてリアルタイムに表示されるとともに、記憶部１０４に送られて記憶される（Ｓ３）。
【００８３】
記憶部１０４において記憶されたストローク群情報は、所定のタイミングで認識部７０１に送られ、文字や図形単位で切出された後、それぞれの認識が行なわれ、認識結果は記憶部１０４に送られて記憶されるとともに表示される（Ｓ４ａ、Ｓ４ｂ）。上述した認識のタイミングは本実施の形態では限定されないが、新たなストローク入力が所定時間なかった時点、または操作者による指示がなされた時点などが想定される。
【００８４】
その後、前述したＳ１０の処理が行なわれて、一連の処理終了が指示されなければＳ１に戻るが、指示されれば処理は終了する。
【００８５】
次に、操作者がモード指定部１０２により選択／修正モードに切換え指定した場合の動作について説明する。
【００８６】
選択／修正モードに切換え指定された場合（Ｓ１）、表示部１０６には選択／修正の対象となる文字／図形入力モードにおいて入力された文字／図形ストローク群情報が記憶部１０４から読出されて表示される（Ｓ５）。このときの表示方法は、図５のフローチャートに示された実施の形態１と同様であるため、ここでの説明は省略する。
【００８７】
操作者は、入力部１０１にジェスチャを筆記入力する（Ｓ６）。入力されたジェスチャの情報は表示部１０６に送られて、表示されている文字／図形ストローク群の上にリアルタイムに重ねられて表示されるとともに、選択／修正部１０５に送られて認識される（Ｓ７）。選択／修正部１０５は認識したジェスチャに応じて、文字／図形ストローク群の選択もしくは削除や拡大・縮小などの修正および認識部７０１における文字／図形単位の切出しの修正を行なう（Ｓ８ａ）。各種修正が行なわれた場合は、その情報が認識部７０１に送られ、再認識が行われる（Ｓ４ａ）。
【００８８】
表示部１０６は、記憶部１０４から認識結果を読出して表示するが、表示位置、サイズおよびタイミングは、本実施の形態では限定されないが、たとえば次のようである。表示位置としては、相当する文字／図形ストローク群と同じ、もしくはその近辺の領域、または予め定められた所定領域、または操作者の指定した領域などが想定される。表示サイズは、相当する元のストローク群と同等のサイズ、または予め定められた所定サイズまたは操作者の指定したサイズなどが想定される。表示タイミングは認識直後、または操作者の指示した時点などが想定される。
【００８９】
図９（Ａ）〜（Ｄ）には、本実施の形態２における表示部１０６における表示例と認識結果が示される。図９（Ａ）には文字／図形入力モード時において手書入力された文字列（‘切出し’）が表示される。認識部７０１により図９（Ａ）の手書入力文字列が文字単位で切出されて、切出された文字単位で認識された結果が図９（Ｂ）に示される。図９（Ｂ）では文字（‘切’）が文字（‘七’）と文字（‘刀’）の２文字に誤認識されていることがわかる。そこで、操作者は図９（Ｃ）に示されるように選択／修正モードを指定して実施の形態１に従うストローク群の縮小または平行移動が行なって手書文字（‘切’）について切出し修正のジェスチャ入力を行なうと、認識部７０１により再認識が行なわれる。その結果、文字（‘切’）について正しい切出しが行なわれて、図９（Ｄ）に示されるように切出し誤りは解消されて正しい認識結果が得られる。
【００９０】
本実施の形態によれば、切出し誤りに起因した誤認識があった場合には、切出し修正のジェスチャを入力することにより、認識部７０１により再認識を行なわせることができる。
【００９１】
（実施の形態３）
次に、本実施の形態３について説明する。図１０（Ａ）〜（Ｄ）には本実施の形態３における表示装置１０６の表示例が示される。図１１は、本実施の形態３に係る手書入力装置の処理フローチャートである。図１１の処理フローは図８の処理フローにＳ１ａとＳ１ｂの処理を追加して、Ｓ５の処理をＳ５ａに代替えしている。図１１の他の処理は図８のそれと同様であり説明は省略する。
【００９２】
本実施の形態３における機能構成およびブロック構成は、図１および図２に示す実施の形態１もしくは図６および図２に示す実施の形態２と同様である。
【００９３】
本実施の形態では、実施の形態１もしくは実施の形態２と同様に、入力部１０１上の入力可能領域は、表示部１０６上の一部もしくは全域に相当しているが、入力可能領域を二重とし、文字／図形入力モード時はそのうち内側の領域のみで入力可能とし（Ｓ１ａ）、選択／修正モード時はそのうち外側すなわち全ての入力可能領域で入力可能とする（Ｓ１ｂ）。図１０（Ａ）に示されるように文字／図形入力モード時の入力可能領域である内側の領域を判別しやすいように、表示手段１０６は内側の領域を示す矩形などのガイドＧＤを表示したり、図１０（Ｃ）に示されるように内側の領域外の部分を特定色（図においては斜線で示される）で塗りつぶしたりするとより好ましい。
【００９４】
また、本実施の形態は、実施の形態１もしくは実施の形態２と異なり、選択／修正モード時には、図５のフローチャートに示された処理は行なわれず、表示部１０６は単純に記憶部１０４から入力ストローク群情報を読出して表示する（Ｓ５ａ）。その結果、図１０（Ａ）で入力された手書文字に関しては、選択／修正モード時において図１０（Ｂ）のようにジェスチャ入力される。同様に図１０（Ｃ）で入力された手書文字に関しては、選択／修正モード時において図１０（Ｄ）のようにジェスチャ入力される。
【００９５】
本実施の形態によれば、入力可能領域を二重として外側の入力可能領域、それに内包される内側の入力可能領域を設けて、文字／図形入力モード時には内側の領域を使用し選択／修正モード時には外側の領域を使用するので、文字／図形入力時に入力可能領域の境界付近まで、すなわち内側領域と外側領域の境界付近まで手書入力されていても、選択／修正モード時のジェスチャ入力を容易に行なうことができる。
【００９６】
（実施の形態４）
次に、本発明における実施の形態４について説明する。図１２（Ａ）と（Ｂ）は、本実施の形態４に係る入力可能領域を説明する図である。図１３は、本実施の形態４に係る手書入力装置の処理フローチャートである。図１３の処理フローは図８の処理フローにＳ１ｃとＳ１ｄの処理を追加して、Ｓ５の処理をＳ５ａに代替えしている。図１３の他の処理は図８のそれと同様であり説明は省略する。本実施の形態４における機能構成およびブロック構成は図１および図２に示す実施の形態１もしくは図６および図２に示す実施の形態２と同様である。
【００９７】
図１２（Ａ）と（Ｂ）に示されるように、文字／図形入力モード時または選択／編集モード時には実施の形態１もしくは実施の形態２とは異なり、入力部１０１上の入力可能領域は表示部１０６上の全表示領域Ｒ０の一部領域Ｒ１もしくはＲ２に相当しており、表示部１０６は入力可能領域を判別するための矩形などのガイドＧＤを表示する。図１２（Ａ）の文字／図形入力モード時の入力可能領域Ｒ１は、図１２（Ｂ）の選択／修正モード時の入力可能領域Ｒ２よりも上下左右とも所定サイズＤだけ小さくなっている。
【００９８】
本実施の形態４では、実施の形態１と異なり、表示部１０６は選択／修正モード時には図５のフローチャートに示された処理は行なわず、文字／図形入力モードで領域Ｒ１内に入力されたストローク群を領域Ｒ１に相当する図１２（Ｂ）の領域Ｒ３に表示する。
【００９９】
図１４（Ａ）と（Ｂ）には、本実施の形態４における表示装置１０６の表示例が示される。図１４（Ａ）の文字／図形入力モード時には手書入力可能領域Ｒ１が設定されて（Ｓ１ｃ）、設定された領域Ｒ１に文字列が手書入力される。選択／編集モード時には図１４（Ｂ）に示されるように手書入力可能領域Ｒ２が設定される（Ｓ１ｄ）。手書入力可能領域Ｒ２は領域Ｒ１が拡大されたものである。手書入力された文字列は設定された手書入力可能領域Ｒ２において縮小・平行移動処理などされずに領域Ｒ１の大きさに対応した（同じ大きさの）領域Ｒ３に表示される（Ｓ５ａ）。領域Ｒ３は手書入力可能領域Ｒ１に対応しており、前述したように入力可能領域Ｒ２に内包される。
【０１００】
本実施の形態によれば、選択／修正モード時には、文字／図形入力モード時よりも手書入力可能領域が領域Ｒ２まで拡大されるので、文字／図形入力モード時に入力可能領域Ｒ１の境界付近まで入力しても、領域拡大がなされた分、選択／修正モード時のジェスチャ入力が容易となる。
【０１０１】
（実施の形態５）
本実施の形態５では上述した機能を実現するための処理プログラムを記録した記録媒体が示される。本実施の形態５では、このプログラムはコンピュータで読取可能な記録媒体に格納される。
【０１０２】
本実施の形態では、この記録媒体として、図２に示されている装置で処理が行なわれるために必要なメモリ、たとえばプログラムメモリ２０２のようなそのものがプログラムメディアであってもよいし、また外部記憶媒体ドライバ２０８として磁気テープ装置およびＣＤ−ＲＯＭ装置などのプログラム読取装置が設けられ、そこに外部記憶媒体として磁気テープまたはＣＤ−ＲＯＭが挿入されることで読取可能なプログラムメディアであってもよい。いずれの場合においても、格納されているプログラムはＣＰＵ２０１がアクセスして実行させる構成であってもよいし、あるいはいずれの場合もプログラムが一旦読出されて、読出されたプログラムは、図２の装置の所定のプログラム記憶エリア、たとえばプログラムメモリ２０２の所定プログラム記憶エリアにロードされて、ＣＰＵ２０１により読出されて実行される方式であってもよい。このロード用のプログラムは、予め当該装置に格納されているものとする。
【０１０３】
ここで、上述したプログラムメディアは装置本体と分離可能に構成される記録媒体であり、磁気テープやカセットテープなどのテープ系、フレキシブルディスクやハードディスクなどの磁気ディスクやＣＤ−ＲＯＭ／ＭＯ（Magnetic  Optical  Disc）／ＭＤ（Mini  Disc）／ＤＶＤ（Digital  Versatile  Disc）などの光ディスクのディスク系、ＩＣカード（メモリカードを含む）／光カードなどのカード系、あるいはマスクＲＯＭ、ＥＰＲＯＭ（Erasable  and  Programmable  ＲＯＭ）、ＥＥＰＲＯＭ(Electrically  ＥＰＲＯＭ)、フラッシュＲＯＭなどによる半導体メモリを含めた固定的にプログラムを担持する媒体であってもよい。
【０１０４】
また、本実施の形態においては、装置はインターネットを含む通信ネットワーク２０７と通信Ｉ／Ｆ２０６を介して接続可能な構成が採用されているから、通信ネットワーク２０７からプログラムがダウンロードされるように流動的にプログラムを担持する媒体であってもよい。なお、このように通信ネットワーク２０７からプログラムがダウンロードされる場合には、ダウンロード用プログラムは予め当該装置本体に格納しておくか、あるいは別の外部記録媒体から予め当該装置本体にインストールされるものであってもよい。
【０１０５】
なお記録媒体に格納されている内容としてはプログラムに限定されず、データであってもよい。
【０１０６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１０７】
【発明の効果】
以上のように、この発明によれば、手書入力可能な領域の境界近くまでストローク群が手書入力された場合でも、編集情報の手書入力時には境界から離れた位置に表示されるので、編集情報入力のための手書入力が容易となる。
【０１０８】
また、手書入力可能領域は内側と外側の二重とされて、ストローク群手書入力時には内側の領域が編集情報の手書入力時には外側の領域が使用されるので、ストローク群手書入力時に入力可能領域境界付近まで入力しても、編集情報の手書入力が容易になる。
【０１０９】
また、編集情報の手書入力時には対応の手書可能領域はストローク群の手書入力時の手書可能領域に比較して拡大されるので、ストローク群が手書入力可能領域境界付近まで手書入力されていても、編集情報の手書入力が容易となる。
【図面の簡単な説明】
【図１】  本発明の実施の形態１に適用される手書入力装置の機能構成を示す図である。
【図２】  この発明の実施の形態１に適用される手書入力装置のブロック構成図である。
【図３】  本実施の形態１に係る手書入力装置の処理フローチャートである。
【図４】  本実施の形態１に係る入力可能領域を説明する図である。
【図５】  本実施の形態１と２に係る表示処理のフローチャートである。
【図６】  （Ａ）と（Ｂ）は、本実施の形態１の各モードにおける表示装置１０６の表示例を示す図である。
【図７】  本実施の形態２における手書入力装置の機能構成図である。
【図８】  本実施の形態２に係る手書入力装置の処理フローチャートである。
【図９】  （Ａ）〜（Ｄ）は、本実施の形態２における表示部１０６における表示例と認識結果を示す図である。
【図１０】  （Ａ）〜（Ｄ）は本実施の形態３における表示装置１０６の表示例を示す図である。
【図１１】  本実施の形態３に係る手書入力装置の処理フローチャートである。
【図１２】  本実施の形態４に係る入力可能領域を説明する図である。
【図１３】  本実施の形態４に係る手書入力装置の処理フローチャートである。
【図１４】  （Ａ）と（Ｂ）は、本実施の形態４における表示装置１０６の表示例を示す図である。
【図１５】  （Ａ）〜（Ｃ）は、従来技術を説明するための図である。
【符号の説明】
１０１  入力部、１０２  モード指定部、１０３  モード管理部、１０４  記憶部、１０５  選択／修正部、１０６  表示部、２０１  ＣＰＵ、２０２  プログラムメモリ、２０３  データメモリ、２０４  入力装置、２０５  表示装置、２０６  通信線Ｉ／Ｆ、２０７  通信ネットワーク、２０８  外部記憶媒体ドライバ、２０９  外部記憶媒体、７０１  認識部。
【図１】
0003881837.tif 000002
【図２】
0003881837.tif 000003
【図３】
0003881837.tif 000004
【図４】
0003881837.tif 000005
【図５】
0003881837.tif 000006
【図６】
0003881837.tif 000007
【図７】
0003881837.tif 000008
【図８】
0003881837.tif 000009
【図９】
0003881837.tif 000010
【図１０】
0003881837.tif 000011
【図１１】
0003881837.tif 000012
【図１２】
0003881837.tif 000013
【図１３】
0003881837.tif 000014
【図１４】
0003881837.tif 000015
【図１５】
0003881837.tif 000016